(57)【要約】【課題】電池を使用せずに電池作動電気機器を作動させることができる電源供給用アダプタ、電源供給および音声信号入力用アダプタならびに補聴器を提供する。【解決手段】電源供給および音声信号入力用アダプタ１０が収容部１１と入力端子１２と出力端子１３とを有する。収容部１１は補聴器１の電池収容部７に収容可能である。入力端子１２はＵＳＢ入力端子から成り、外部電気機器のＵＳＢ出力端子から電力および音声信号を入力可能である。出力端子１３は収容部１１に設けられ、入力端子１２にケーブル１４を介して接続され、入力端子１２から入力した電力および音声信号をアンプ３に出力可能である。【選択図】図１
2015005953.tif 000002
【特許請求の範囲】
【請求項１】
電池作動電気機器の電池収容部に収容可能な収容部と、
外部電気機器の出力端子から電力を入力可能な入力端子と、
前記収容部に設けられ、前記入力端子にケーブルを介して接続され、前記入力端子から入力した電力を前記電池作動電気機器に出力可能な出力端子とを、
有することを特徴とする電源供給用アダプタ。
【請求項２】
音声信号を入力して音声出力可能な電池作動電気機器の電池収容部に収容可能な収容部と、
外部電気機器の出力端子から電力および音声信号を入力可能な入力端子と、
前記収容部に設けられ、前記入力端子にケーブルを介して接続され、前記入力端子から入力した電力および音声信号を前記電池作動電気機器に出力可能な出力端子とを、
有することを特徴とする電源供給および音声信号入力用アダプタ。
【請求項３】
前記収容部は内部に録音装置を有し、前記録音装置は前記入力端子から入力した音声信号を録音し、録音した音声信号を前記出力端子から出力可能に構成されていることを、特徴とする請求項２記載の電源供給および音声信号入力用アダプタ。
【請求項４】
前記電池作動電気機器はマイクロホンから入力した音声を音声信号に変換してアンプで増幅し、前記アンプにより増幅された音声信号をスピーカーにより音声に変換して出力する補聴器から成り、前記出力端子は前記アンプに電力および音声信号を出力可能に接続されていることを特徴とする請求項２または３記載の電源供給および音声信号入力用アダプタ。
【請求項５】
前記収容部は内部にＴコイルを有し、前記Ｔコイルは前記入力端子と前記出力端子との間に接続されていることを特徴とする請求項４記載の電源供給および音声信号入力用アダプタ。
【請求項６】
前記収容部は内部に乾燥剤を有することを特徴とする請求項４または５記載の電源供給および音声信号入力用アダプタ。
【請求項７】
前記ケーブルは前記収容部から伸びる部分が耳介に掛けて取り付けられる形状を保持していることを特徴とする請求項４，５または６記載の電源供給および音声信号入力用アダプタ。
【請求項８】
前記収容部は内部に録音装置を有し、前記録音装置は前記マイクロホンからの音声信号を録音し、録音した音声信号を前記出力端子から前記アンプに出力可能に構成されていることを、特徴とする請求項４，５，６または７記載の電源供給および音声信号入力用アダプタ。
【請求項９】
前記入力端子に前記録音装置の録音開始スイッチ、録音停止スイッチ、再生開始スイッチおよび再生停止スイッチが設けられていることを特徴とする請求項３または８記載の電源供給および音声信号入力用アダプタ。
【請求項１０】
請求項５，６，７，８または９記載の電源供給および音声信号入力用アダプタの前記収容部が電池収容部に収容されていることを特徴とする補聴器。
【発明の詳細な説明】
【技術分野】
【０００１】
本発明は、電池作動電気機器の電源として、本体に収容される電池の代わりに外部電気機器などから電源を供給可能な電源供給用アダプタ、電源を供給するとともに音声信号を入力可能な電源供給および音声信号入力用アダプタならびに補聴器に関する。
【背景技術】
【０００２】
一般に補聴器には、ボタン型電池が使用されている。この電池は、小型軽量であるが、ひとたび使用をはじめると、補聴器を使用していなくとも自己放電がすすみ、電池寿命は７０〜２５０時間程度と短い。また、一般の電池よりも高価にもかかわらず、充電できず、使い捨てにされる。補聴器は、難聴者の日常生活に不可欠であり、その使用頻度は高く、しかも長時間使用するため、高価なボタン型電池の使い捨ては家計の負担となる。
【０００３】
従来、内蔵電池の代わりにアダプターをセットし、一般の電池からコードおよびアダプターを介して電源を供給する補聴器用電池アダプターが提案されている（例えば、特許文献１参照）。この補聴器では、一般の電池の代替使用が可能なため、高価なボタン型電池の使用時間を減らすことができる。また、音質や音量調整の際、通信用コネクタと調整用パーソナルコンピュータなどの外部機器をケーブルによって接続する補聴器が開示されている（例えば、特許文献２参照）。
【先行技術文献】
【特許文献】
【０００４】
【特許文献１】特開２００８−０４１６３１号公報
【特許文献２】特開２００７−３３６３０７号公報
【発明の概要】
【発明が解決しようとする課題】
【０００５】
特許文献１に記載の補聴器用電池アダプターを使用した場合、ボタン型電池の使用時間を減らせるので、その費用負担は軽減できるが、一般の電池は必要であり、使用し続けるには一般の電池を購入したり充電したりする手間がかかるという課題があった。特許文献２に記載の補聴器は、通信ケーブルにより外部機器に電気的に接続する通信用コネクタを有するが、外部機器は音質や音量調整装置であって補聴器に電源供給するものではなく、ボタン型電池の使い捨ての費用負担を軽減するものではなかった。
【０００６】
本発明は、このような課題に着目してなされたもので、本体内蔵電池を使用せずに電池作動電気機器を作動させることができる電源供給用アダプタ、電源供給および音声信号入力用アダプタならびに補聴器を提供することを目的としている。
【課題を解決するための手段】
【０００７】
本発明に係る電源供給用アダプタは、電池作動電気機器の電池収容部に収容可能な収容部と、外部電気機器の出力端子から電力を入力可能な入力端子と、前記収容部に設けられ、前記入力端子にケーブルを介して接続され、前記入力端子から入力した電力を前記電池作動電気機器に出力可能な出力端子とを、有することを特徴とする。
本発明に係る電源供給用アダプタは、電池作動電気機器の電池収容部に収容部を収容して用いられ、外部電気機器の出力端子から入力端子により電力を入力し、出力端子により電池作動電気機器に電力を出力することができる。このため、外部電気機器があれば、電池を使用せずに電池作動電気機器を作動させることができ、ボタン型電池の使用時間を減らすことができる。電池作動電気機器としては、例えば、補聴器、ＴＶゲーム装置のコントローラなどが挙げられる。外部電気機器としては、例えば、パーソナルコンピュータ、携帯電話機が挙げられる。入力端子は、例えば、ＵＳＢ入力端子、イヤホンプラグなどから成る。
【０００８】
本発明に係る電源供給および音声信号入力用アダプタは、音声信号を入力して音声出力可能な電池作動電気機器の電池収容部に収容可能な収容部と、外部電気機器の出力端子から電力および音声信号を入力可能な入力端子と、前記収容部に設けられ、前記入力端子にケーブルを介して接続され、前記入力端子から入力した電力および音声信号を前記電池作動電気機器に出力可能な出力端子とを、有することを特徴とする。
本発明に係る電源供給および音声信号入力用アダプタは、音声信号を入力して音声出力可能な電池作動電気機器の電池収容部に収容部を収容して用いられ、外部電気機器の出力端子から入力端子により電力および音声信号を入力し、出力端子により電池作動電気機器に電力および音声信号を出力することができる。このため、外部電気機器があれば、電池を使用せずに電池作動電気機器を作動させ、音声を出力させることができる。音声出力可能な電池作動電気機器としては、例えば、補聴器、集音器、カード型ラジオなどが挙げられる。
【０００９】
本発明に係る電源供給および音声信号入力用アダプタにおいて、前記収容部は内部に録音装置を有し、前記録音装置は前記入力端子から入力した音声信号を録音し、録音した音声信号を前記出力端子から出力可能に構成されていてもよい。
この場合、外部電気機器から入力した音声信号を録音、再生することができる。
【００１０】
本発明に係る電源供給および音声信号入力用アダプタにおいて、前記電池作動電気機器はマイクロホンから入力した音声を音声信号に変換してアンプで増幅し、前記アンプにより増幅された音声信号をスピーカーにより音声に変換して出力する補聴器から成り、前記出力端子は前記アンプに電力および音声信号を出力可能に接続されていることが好ましい。
補聴器に使用される電池は一般に高価なうえ消耗しやすいが、本発明に係る電源供給および音声信号入力用アダプタを用いることにより、電池切れを気にせずに使用することができる。また、外部電気機器から入力した音声信号をアンプで増幅し、スピーカーで音声に変換して聴くことができる。ケーブルは、電池作動電気機器の内部から外部に伸びる位置に気密性パッキンを有していることが好ましい。補聴器は、耳穴式補聴器でも耳掛け式補聴器でもよい。
【００１１】
本発明に係る電源供給および音声信号入力用アダプタにおいて、前記収容部は内部にＴコイルを有し、前記Ｔコイルは前記入力端子と前記出力端子との間に接続されていることが好ましい。
この場合、Ｔコイルを内蔵していない補聴器でも、本発明に係る電源供給および音声信号入力用アダプタを用いて、Ｔコイルにより雑音を抑制し、聴きやすくなる。
【００１２】
本発明に係る電源供給および音声信号入力用アダプタにおいて、前記収容部は内部に乾燥剤を有することが好ましい。
この場合、補聴器から成る電池作動電気機器が耳に装着して使用されたとき、汗の水分で内部が腐食するのを乾燥剤により抑えることができる。
【００１３】
本発明に係る電源供給および音声信号入力用アダプタにおいて、前記ケーブルは前記収容部から伸びる部分が耳介に掛けて取り付けられる形状を保持していることが好ましい。
この場合、ケーブルを耳介に掛けて取り付けることができるので、耳から外れにくい。
本発明に係る電源供給および音声信号入力用アダプタにおいて、前記収容部は内部に録音装置を有し、前記録音装置は前記マイクロホンからの音声信号を録音し、録音した音声信号を前記出力端子から前記アンプに出力可能に構成されていることが好ましい。
この場合、マイクロホンから入力した音声を録音、再生してスピーカーで聴くことができる。
【００１４】
本発明に係る電源供給および音声信号入力用アダプタは、前記入力端子に前記録音装置の録音開始スイッチ、録音停止スイッチ、再生開始スイッチおよび再生停止スイッチが設けられていることが好ましい。
この場合、入力端子で録音装置の録音・再生の開始・停止を操作することができる。
【００１５】
本発明に係る補聴器は、前記電源供給および音声信号入力用アダプタの前記収容部が電池収容部に収容されていることを特徴とする。
本発明に係る補聴器は、外部電気機器の出力端子から電力および音声信号を入力し、外部電気機器からの音声信号およびマイクロホンからの音声信号をアンプで増幅し、スピーカーで音声に変換して聴くことができる。外部電気機器があれば、電池を使用せずに作動させ、音声を出力させることができる。
【発明の効果】
【００１６】
本発明によれば、電池を使用せずに電池作動電気機器を作動させることができる電源供給用アダプタ、電源供給および音声信号入力用アダプタならびに補聴器を提供することができる。
【図面の簡単な説明】
【００１７】
【図１】本発明の実施の形態の電源供給および音声信号入力用アダプタを取り付けた補聴器を示す概略図である。
【発明を実施するための形態】
【００１８】
以下、図面に基づき、本発明の実施の形態について説明する。
図１は、本発明の実施の形態の電源供給および音声信号入力用アダプタを取り付けた補聴器を示している。
図１に示すように、補聴器１は、デジタル式であり、マイクロホン２と、アンプ３と、スピーカー４と、イヤーモジュール５とを有している。補聴器１は、マイクロホン２から入力した音声を音声信号に変換してアンプ３で増幅およびデジタル信号処理し、アンプ３により処理した音声信号をスピーカー４により音声に変換して出力する構造を有している。イヤーモジュール５は、スピーカー４にチューブ６を介して接続され、外耳道に挿入可能となっている。
【００１９】
電源供給および音声信号入力用アダプタ１０は、収容部１１と、入力端子１２と、出力端子１３とを有している。収容部１１は、ボタン型電池の形状、大きさを有している。収容部１１は、補聴器１のボタン型電池が収容される電池収容部７に収容可能である。入力端子１２は、ＵＳＢ入力端子から成り、携帯電話機２１、パーソナルコンピュータ２２、テレビ２３などのＵＳＢ出力端子から電力および音声信号を入力可能に構成されている。出力端子１３は、収容部１１に設けられ、入力端子１２にケーブル１４を介して接続され、入力端子１２から入力した電力および音声信号をアンプ３に出力可能に構成されている。ケーブル１４には、電池収容部７を閉じたとき、電池収容部７を気密状態に保つパッキン１５が設けられている。
【００２０】
次に、作用について説明する。
電源供給および音声信号入力用アダプタ１は、補聴器１０の電池収容部７に収容部１１を収容して用いられる。電源供給および音声信号入力用アダプタ１は、携帯電話機２１、パーソナルコンピュータ２２、テレビ２３など外部電気機器のＵＳＢ出力端子から、接続した入力端子１２により電力および音声信号を入力し、出力端子１３により補聴器１０に電力および音声信号を出力することができる。補聴器１０は、外部電気機器からの音声信号およびマイクロホン２からの音声信号をアンプ３で増幅およびデジタル信号処理して、スピーカー４で音声に変換する。これにより、スピーカー４に接続したイヤーモジュール５で、外部電気機器からの音声およびマイクロホン２からの音声を聴くことができる。このように、ＵＳＢ出力端子を持つ外部電気機器があれば、電池を使用せずに電池作動電気機器１を作動させ、音声を出力させることができ、ボタン型電池の使用時間を減らすことができる。補聴器に使用されるボタン型電池は一般に高価なうえ消耗しやすいが、電源供給および音声信号入力用アダプタ１を用いることにより、電池切れを気にせずに使用することができる。震災などの災害時には、ボタン型電池のストック量を気にせずに、安心して補聴器１０を使用することができる。
【００２１】
収容部１１は、内部に録音装置を有していてもよい。録音装置は入力端子１２から入力した音声信号を録音し、録音した音声信号を出力端子１３から出力可能に構成されている。あるいは、録音装置はマイクロホン２からの音声信号を録音し、録音した音声信号を出力端子１３からアンプ３に出力可能に構成されている。この場合、外部電気機器から入力した音声信号またはマイクロホン２から入力した音声を録音、再生し、スピーカー４に接続したイヤーモジュール５で聴くことができる。これにより、テレビの音声や会話を録音しておき、聴き取れなかった音声や会話を再生して聴き直すことができるので、聴き間違いを防ぎ、ストレスを軽減することができる。なお、入力端子１２から入力した音声信号とマイクロホン２からの音声信号とを切り替えて録音するためのスイッチを有していてもよい。
収容部１１の内部に録音装置を有する場合、入力端子１２に録音装置の録音開始スイッチ、録音停止スイッチ、再生開始スイッチおよび再生停止スイッチが設けられていることが好ましい。この場合、入力端子１２で録音装置の録音・再生の開始・停止を操作することができる。録音開始スイッチ、録音停止スイッチ、再生開始スイッチおよび再生停止スイッチは、例えば、入力端子１２の表面に設けられたボタンスイッチであってもよい。
【００２２】
また、収容部１１は内部にＴコイルを有していてもよい。Ｔコイルは入力端子１２と出力端子１３との間に接続される。この場合、Ｔコイルを内蔵していない補聴器でも、電源供給および音声信号入力用アダプタ１０を用いて、Ｔコイルにより雑音を抑制し、聴きやすくなる。なお、Ｔコイルの使用、不使用を切り替えるスイッチを有していてもよい。
【００２３】
また、収容部１１は内部に乾燥剤を有していてもよい。この場合、補聴器１が耳に装着して使用されたとき、汗の水分で内部が腐食するのを乾燥剤により抑えることができる。
ケーブル１４は、収容部１１から伸びる部分が耳介に掛けて取り付けられる形状を保持していてもよい。この場合、ケーブル１４を耳介に掛けて取り付けることができるので、耳穴式の補聴器１を使用したとき、耳から外れにくくなる。ケーブル１４には、衣服などに取り付けるための留めピンが設けられていてもよい。この場合、留めピンを衣服に取り付けておけば、ケーブル１４が引っ張られて補聴器１が耳から外れるのを防ぐことができる。
【符号の説明】
【００２４】
１  補聴器
２  マイクロホン
３  アンプ
４  スピーカー
５  イヤーモジュール
６  チューブ
１０  電源供給および音声信号入力用アダプタ
１１  収容部
１２  入力端子
１３  出力端子
１４  ケーブル
１５  パッキン
２１  携帯電話機
２２  パーソナルコンピュータ
２３  テレビ
【図１】
2015005953.tif 000003